(57)【要約】【課題】地震などでパラペットが傾いてもブラケットから笠木が脱落しないようにする。【解決手段】パラペット１に固定したブラケット１０に笠木３を被せるようにして外装する。これにより、ブラケット１０の受けリブ１５の先端側に形成する円弧部２１が笠木３の内面に接触し、かつ、笠木３の垂壁部５に形成するフランジ部６をブラケット１０の側板部１２の先端側に形成する円弧部２０に係止する。笠木３と接触するブラケット１０の受けリブ１５の先端側と側板部１２にそれぞれ円弧部２０，２１をそれぞれ形成することにより、地震等の振動によりパラペット１が変動して傾いてもブラケット１０によって笠木３の平板部４の内面及びフランジ部６とを押し広げることがなく、ブラケット１０と笠木３との係止状態が保たれる。【選択図】      図４
2004257202.tif 000002
【特許請求の範囲】
【請求項１】
建物のパラペットの頂部にブラケットを所定間隔に固定し、ブラケットに笠木を嵌着して固定する耐震笠木用ブラケットであって、笠木は平板部の両側から左右一対の垂壁部を垂設して断面コ字型に形成し、前記ブラケットは、天板部の両側から左右一対の側板部を垂設する断面コ字型に形成するとともに、前記ブラケットの天板部に前記笠木の裏面に当接する受けリブを形成し、かつ、前記笠木の垂壁部の下端部には前記ブラケットの側板部の下端部と係止するフランジ部を形成し、この笠木と係止する前記ブラケットの受けリブの先端部と側板部の下端部に円弧部を形成したことを特徴とする耐震笠木用ブラケット。
【請求項２】
前記受けリブを弾性材で構成したことを特徴とする請求項１記載の耐震笠木用ブラケット。
【請求項３】
前記ブラケットの天板部に長孔を形成し、この長孔に対してスライド自在なカラーを挿入し、このカラーを介在して前記パラペットの頂部に前記ブラケットを螺子杆で螺着して成ることを特徴とする請求項１又は２記載の耐震笠木用ブラケット。
【発明の詳細な説明】
【０００１】
【発明の属する技術分野】
本発明は、建物の躯体屋上に設けられたパラペットの頂部に取り付けられる笠木に関するもので、地震などの振動を吸収する耐震用笠木に関するものである。
【０００２】
【従来の技術】
従来から耐震性を考慮してＰＣパネル、ＡＬＣパネル等のパネル同士にある程度の間隙を設け、地震などによる躯体に取り付けられたパネルの変形や破壊を防止するためにパネル同士がある程度可動できるような取付構造が知られている。このようなパネル同士がある程度可動できるような構造では、パネル頂部に装着する笠木についてもパネルの変位に追従させる必要がある。
【０００３】
そこで、特許文献１には、受具とこの受具を挟持してパラペットの頂部に固定する受具固定具との間に弾性材を介在させて地震などによってＰＣパネルやＡＬＣパネルが変動した際、弾性材により、受具とこれに嵌合係止されている笠木の変位を弾性材で吸収することによって受具からの笠木の脱落を防止するように構成した耐震用笠木が提案されている。
【０００４】
【特許文献１】
特開２００３−３６２８号
【０００５】
【発明が解決しようとする課題】
【０００６】
【課題を解決するための手段】
しかし、特許文献１に示す耐震用笠木は、笠木を嵌着する受け具と、この受け具をパラペットに固定するために受具固定具と、これら受け具と受具固定具との間に介在する弾性材を必要とするため、組付部品点数が多く、笠木に取り付ける際にも弾性材を組み付ける手間がかかり組み付け作業性に劣るとともに、製造コストも嵩むという問題があった。
【０００７】
本発明は、前記問題点に鑑みて成されたものであり、組付部品点数を増やすことなく、簡単な構造で地震時における笠木の脱落を防止することができる耐震笠木用ブラケットを提供することを目的とする。
【０００８】
【課題を解決するための手段】
請求項１に係る耐震笠木用ブラケットは、建物のパラペットの頂部にブラケットを所定間隔に固定し、ブラケットに笠木を嵌着して固定する耐震笠木用ブラケットであって、笠木は平板部の両側から左右一対の垂壁部を垂設して断面コ字型に形成し、前記ブラケットは、天板部の両側から左右一対の側板部を垂設する断面コ字型に形成するとともに、前記ブラケットの天板部に前記笠木の裏面に当接する受けリブを形成し、かつ、前記笠木の垂壁部の下端部には前記ブラケットの側板部の下端部と係止するフランジ部を形成し、この笠木と係止する前記ブラケットの受けリブの先端部と側板部の下端部に円弧部を形成したものである。
【０００９】
上記構成により、地震などでパネルなどから成るパラペットが変動してパラペットに固定したブラケットが傾いたとしても、笠木と接触するブラケットの受けリブの先端部と側板部の下端部に円弧部が形成されているため、ブラケットにより笠木の平板部の内面及びフランジ部とを押し広げることがなく、常に円弧部の一部は笠木の裏面と笠木の垂壁部から折曲するフランジ部に接触し、ブラケットと笠木との係止状態を保つことが可能となるから、ブラケットからの笠木の脱落が防止される。
【００１０】
請求項２に係る耐震笠木用ブラケットは、請求項１記載の耐震笠木用ブラケットにおいて、前記受けリブを弾性材で構成したものである。
【００１１】
上記構成により、弾性材によって地震などによるパラペットの変動を吸収することができる。
【００１２】
請求項３に係る耐震笠木用ブラケットは、請求項１又は２記載の耐震笠木用ブラケットにおいて、前記ブラケットの天板部に長孔を形成し、この長孔に対してスライド自在なカラーを挿入し、このカラーを介在して前記パラペットの頂部に前記ブラケットを螺子杆で螺着して成るものである。
【００１３】
上記構成により、パラペットを構成するパネルなどが幅方向にずれた際、パラペットに螺着するアンカーボルトに対してブラケットは長孔の範囲内でスライド自在であるから、長孔によってブラケットの幅さ方向における変位を吸収することができる。
【００１４】
【発明の実施の形態】
以下、本発明の耐震笠木用ブラケットを添付図面を参照して説明する。図１〜図１０は、本発明の第１実施例を示し、同図において、パラペット１の天端部２に装着される笠木３は、アルミニウムを押出成形して平板部４とこの平板部４の両側から垂設する一対の垂壁部５を有して断面コ字型に成型されている。また、前記垂壁部５の先端側にはブラケット１０に引っ掛けて笠木３を固定するＬ型のフランジ部６を内側に向かって形成している。
【００１５】
前記ブラケット１０は笠木３と同様、アルミニウムの押出成形品であり、前記パラペット１の天端部２に固定される天板部１１と、この天板部１１の両端縁から垂設した一対の側板部１２とを有している。また、前記天板部１１には前記笠木３の長さ方向に沿うように前記笠木３の内面に接触する一対の受けリブ１５，１５を突設している。この各受けリブ１５の先端部と前記側板部１２の下端部には、それぞれ同一曲率の円弧部２０，２１が形成されている。なお、これら円弧部２０，２１は同心円上に位置している。また、前記天板部１１には前記笠木３の幅方向に沿うように一対の長孔２３が形成されている。
【００１６】
２４は前記長孔２３に挿入する樹脂性のカラーであり、このカラー２４を介して螺子杆たるアンカーボルト２７を挿通し、前記パラペット１の天端部２に埋設したアンカープラグ２８に螺着することによってブラケット１０を固定している。なお、カラー２４は主に図５示すようにパラペット１が間隔をおいて並設するような大型な笠木３に用いられる。また、カラー２４は、前記アンカーボルト２７を挿通する筒部２５と、この筒部２５の上端部から水平方向に突出する鍔部２６を有している。そして、前記カラー２４の筒部２５の長さは長孔２３の深さｈより僅かに長く設定されている。
【００１７】
以上のように構成される本実施例の作用・効果について説明する。図５示すようにパラペット１が間隔をおいて並設するような大型な笠木３ではブラケット１０に形成する長孔２３にカラー２４を介してアンカーボルト２７を挿入し、このアンカーボルト２７をパラペット１の天端部２に埋設するアンカープラグ２８にねじ込んで天端部２にブラケット１０を固定する。このとき、カラー２４の筒部２５の長さが長孔２３の深さｈより僅かに長く設定され、アンカーボルト２７を締め付けても鍔部２６と天板部１１との間に僅かな隙間Ｓが形成されるから、長孔２３の範囲内でパラペット１に螺着するアンカーボルト２７に対してブラケット１０がスライド自在である。また、図１に示すように単一のパラペット１に笠木３を装着する場合においては、長孔２３に直接、アンカーボルト２７を挿入しパラペット１の天端部２にブラケット１０を固定するようにしてもよい。こうしてブラケット１０を固定した後、笠木３をブラケット１０に被せるようにして外装する。このとき、笠木３の垂壁部５を外側に開くようにして弾性変形させ、笠木３の垂壁部５を弾性復帰させることによって、垂壁部５の先端に形成するフランジ部６をブラケット１０の側板部１２の先端側に形成する円弧部２１に係止する。これとともに、ブラケット１０の受けリブ１５の先端側に形成する円弧部２０が笠木３の内面に接触してブラケット１０に笠木３が固定される。このように、本実施例においては、笠木３と接触するブラケット１０の側板部１２と受けリブ１５の先端側にそれぞれ同心円状に位置する円弧部２０，２１を形成することにより、図１０及び図１１に示すように、地震等の振動により例えばパラペット１を構成するパネルＰが傾いた場合、パネルＰに固定したブラケット１０も傾くが、たとえ、ブラケット１０が傾いたとしても笠木３と接触するブラケット１０の両側板部１２の下端部と受けリブ１５の先端部に形成する円弧部２０，２１が笠木３の平板部４の内面及びフランジ部６に常に接触した状態を維持される。すなわち、ブラケット１０の側板部１２と受けリブ１５を従来のように矩形状に形成して笠木３との接触部分を直線的に形成する場合、パネルＰ及びブラケット１０が傾くのに伴い、ブラケット１０によって笠木３には平板部４の内面及びフランジ部６を押し広げる力が作用し、結果的にブラケット１０から笠木３が外れ易くなる。しかし、ブラケット１０の側板部１２の下端部と受けリブ１５の先端部に同心円状に位置する円弧部２０，２１を形成することによって、たとえブラケット１０が傾いたとしても、笠木３の平板部４の内面及びフランジ部６とを押し広げることがなく、笠木３の平板部４の内面及びフランジ部６との間隔は初期の状態のままである。したがって、地震などによってパネルＰと、このパネルＰに固定したブラケット１０が傾いてもブラケット１０に対して笠木３が係止された状態を保てる。また、図５に示すように、パラペット１を並設し、これらパラペット１に跨るように大型の笠木３を装着した場合、地震などによってパラペット１を構成するパネルＰが幅方向にずれて変位したとしても、パラペット１に螺着するアンカーボルト２７に対してブラケット１０は長孔２３の範囲内でスライド自在であるから、パネルＰの幅さ方向における変位を吸収することができる。したがって、地震などに起因してパネルＰが傾いたり変動により変位したとしてブラケット１０の側板部１２の下端部と受けリブ１５の先端部に形成する円弧部２０，２１が笠木３の平板部４の内面及びフランジ部６に常に接触してブラケット１０と笠木３との係止状態を保つことができるから、ブラケット１０からの笠木３の脱落を防止することができる。また、本実例においては、単に笠木３と接触するブラケット１０の両側板部１２の下端部と受けリブ１５の先端部に円弧部２０，２１を形成するだけなので、部品点数を増やすこともないからコストも削減することができる。また、笠木３の取付けに際しても、従来の取り付け方法と変わらず、パラペット１に固定したブラケット１０に笠木３を被せるようにして外装するだけでよいから、取付作業も容易である。
【００１８】
図１１は本発明の第２実施例を示しており、前記第１実施例と同一機能を有する部分には同一符号を付し、重複する部分の説明を省略し、異なる部分についてのみ説明する。本実施例では、受けリブ１５を比較的硬質なゴムなどから成る弾性材３０で構成している。すなわち、本実施例においては、ブラケット１０と受けリブ１５とを別体で成形し、ブラケット１０に受けリブ１５を組み付けるものであり、ブラケット１０には受けリブ１５の取り付け位置に固定レール３１を一体形成し、受けリブ１５を構成する弾性材３０の基端部に固定レール３１と嵌合する嵌合溝３２を形成している。また、弾性材３０からなる受けリブ１５の先端部は、前記第１実施例と同様、円弧部３５を形成している。
【００１９】
以上のように構成される本実施例においては、ブラケット１０に形成する固定レール３１に弾性材３０の嵌合溝３２を嵌め入れてブラケット１０に弾性材３０から成る受けリブ１５を固定している。この後、前記第１実施例と同様、アンカーボルト２７によりパラペット１の天端部２にブラケット１０を固定し、笠木３をブラケット１０に被せるようにして外装して笠木３の垂壁部５の先端に形成するフランジ部６をブラケット１０の側板部１２の先端側に形成する円弧部２１に係止して弾性材３０から成る受けリブ１５の先端側に形成する円弧部３５を笠木３の内面に接触させてブラケット１０に笠木３を固定する。
【００２０】
したがって、本実施例においては、前記第１実施例と同様、笠木３と接触するブラケット１０の側板部１２と受けリブ１５の先端側にそれぞれ円弧部２１，３５をそれぞれ形成することにより、地震等の振動により例えばパラペット１を構成するパネルＰが長さ方向あるいは幅方向において、傾いたり変位したとしても、ブラケット１０によって笠木３の平板部４の内面及びフランジ部６とを押し広げることがなく、常にブラケット１０の側板部１２の下端部と受けリブ１５の先端部に形成する円弧部２１，２５が笠木３の平板部４の内面及びフランジ部６に接触した状態を維持できるためブラケット１０からの笠木３の脱落を防止することができる。さらに、本実例においては、受けリブ１５を弾性材３０で構成しているから、地震等の振動によりパラペット１を構成するパネルＰが長さ方向あるいは幅方向において、傾いたりあるいは変位した際、弾性材３０でブラケット１０の変位を吸収することができ、より確実に笠木３の脱落を防止することができる。
【００２１】
以上、本発明の実施例について詳述したが、本発明は前記各実施例に限定されるものではなく、本発明の要旨の範囲内で種々の変形実施が可能である。例えば、ブラケットに受けリブを一体形成し、その先端にキャップ状の弾性材を被せるような構成であってもよい。
【００２２】
【発明の効果】
請求項１に係る耐震笠木用ブラケットによれば、建物のパラペットの頂部にブラケットを所定間隔に固定し、ブラケットに笠木を嵌着して固定する耐震笠木用ブラケットであって、笠木は平板部の両側から左右一対の垂壁部を垂設して断面コ字型に形成し、前記ブラケットは、天板部の両側から左右一対の側板部を垂設する断面コ字型に形成するとともに、前記ブラケットの天板部に前記笠木の裏面に当接する受けリブを形成し、かつ、前記笠木の垂壁部の下端部には前記ブラケットの側板部の下端部と係止するフランジ部を形成し、この笠木と係止する前記ブラケットの受けリブの先端部と側板部の下端部に円弧部を形成したものであるから、地震などでパラペットが変動してパラペットに固定したブラケットが傾いたとしても、笠木の平板部の内面及びフランジ部とを押し広げることがなく、笠木と接触するブラケットの円弧部は常に笠木の裏面とフランジ部に接触してブラケットと笠木との係止状態を保つことが可能となる。これにより、ブラケットからの笠木の脱落を防止することができる。
【００２３】
請求項２に係る耐震笠木用ブラケットによれば、請求項１記載の耐震笠木用ブラケットにおいて、前記受けリブを弾性材で構成したものであるから、地震などによるパラペットの変動を吸収することができる。
【００２４】
請求項３に係る耐震笠木用ブラケットによれば、請求項１又は２記載の耐震笠木用ブラケットにおいて、前記ブラケットの天板部に長孔を形成し、この長孔に対してスライド自在なカラーを挿入し、このカラーを介在して前記パラペットの頂部に前記ブラケットを螺子杆で螺着して成るものであるから、パラペットを構成するパネルなどが幅方向に変位した際、パラペットに螺着するアンカーボルトに対してブラケットは長孔の範囲内でスライド自在であるから、幅さ方向における変位を吸収することができる。
【図面の簡単な説明】
【図１】本発明の第１実施例を示す断面図である。
【図２】同上ブラケットの側面図である。
【図３】同上ブラケットの平面図である。
【図４】同上ブラケットと笠木の分解斜視図である。
【図５】同上並設するパラペットに跨るように笠木の取り付け状態を示す断面図である。
【図６】同上ブラケットにカラーを挿入した状態を示す平面図である。
【図７】同上図６のＡ−Ａ線断面図である。
【図８】同上笠木の取り付け状態を示す正面図である。
【図９】同上パラペットが長さ方向に変動した状態を示す笠木の取り付け状態を示す正面図である。
【図１０】パラペットが傾いた際のブラケットと笠木の係止状態を示す正面図である。
【図１１】本発明の第２実施例を示す断面図である。
【符号の説明】
１  パラペット
２  天端部
３  笠木
４  平板部
５  垂壁部
６  フランジ部
１０  ブラケット
１１  天板部
１２  側板部
１５  受けリブ
２０，２１，３５  円弧部
２３  長孔
２４  カラー
２７  アンカーボルト（螺子杆）
３０  弾性体
【図１】
2004257202.tif 000003
【図２】
2004257202.tif 000004
【図３】
2004257202.tif 000005
【図４】
2004257202.tif 000006
【図５】
2004257202.tif 000007
【図６】
2004257202.tif 000008
【図７】
2004257202.tif 000009
【図８】
2004257202.tif 000010
【図９】
2004257202.tif 000011
【図１０】
2004257202.tif 000012
【図１１】
2004257202.tif 000013